(57)【特許請求の範囲】
【請求項１】
それぞれ棚枠に支持された後方棚と前方棚とが、前後方向で並列するように設けられた棚段を複数段備えた陳列棚において、
遮蔽状態と遮蔽解除状態とが切替え可能で、前記遮蔽状態で前記後方棚の陳列品の取出しを不能とするとともに前記遮蔽解除状態で前記後方棚の陳列品の取出しを可能とする遮蔽体を、前記棚段ごとに設け、
前記前方棚は、
前後方向にスライド可能であるとともに、前方スライドで引き出す引出し操作に連動して前記遮蔽体を前記遮蔽状態から前記遮蔽解除状態へ切替え可能に構成されている
ことを特徴とする陳列棚。
【請求項２】
前記遮蔽体は、
上下向きで立つ立状態により前記遮蔽状態となるとともに、前記遮蔽解除状態時に前記引出し操作に連動して前後向きに倒れる倒状態となる、遮蔽板である
ことを特徴とする請求項１記載の陳列棚。
【請求項３】
前記遮蔽板は、回動可能に前記前方棚に取り付けられており、
前記棚枠に、前下がり傾斜の摺動ガイド部をそれぞれ有する一対のガイドプレートを取り付け、
前記遮蔽板の先端部に、前記一対のガイドプレートそれぞれの前記摺動ガイド部によるガイドを受ける一対の摺動ピンを設け、
前記遮蔽板は、前記摺動ピンを介した前記摺動ガイド部によるガイドを受けつつ、前記引出し操作による前記前方棚の前方スライドに連動した前方スライドを行うことで回動し、前記倒状態となる
ことを特徴とする請求項２記載の陳列棚。
【発明の詳細な説明】
【技術分野】
【０００１】
本発明は、スーパーマーケットやコンビニエンスストア、あるいはドラッグストアなどの小売店舗で用いられる陳列棚に係り、特に、化粧品などのように比較的単価が高く、万引きの対象になり易い商品の陳列に好適な陳列棚に関する。
【背景技術】
【０００２】
陳列棚は、一般的に、商品や見本品などを陳列するための棚段を複数段備える。その棚段は、例えば棚枠に支持させた棚で形成されたり、あるいは棚枠に支持させた棚とそれに載せた陳列ケースで形成されたりする。
【０００３】
図７と図８に、従来における一つの代表的なタイプの陳列棚について、その一般的な構成を簡略化して示す。図７と図８における陳列棚６１は、前後方向で並列するようにして互いに独立させて設けられた後方棚６２と前方棚６３で形成される棚段６４を複数段（図の例では５段）備えている。
【０００４】
後方棚６２は、例えば商品棚として商品の陳列に用いられ、棚枠６５の背面パネル６６に組み込まれている係止受けパネル６７に取外し可能に係止させて取り付けられている。係止受けパネル６７は、パネルの全幅にわたる長さのスリット状の係止部６８（図８）を均等間隔で多段に設けた構成であり、自由な高さ位置で後方棚６２を取り付けることができるようになっている。
【０００５】
また後方棚６２は、ブロック式である。つまり後方棚６２は、棚枠６５の幅サイズよりも狭い幅サイズで形成された棚ブロック６９を複数（図の例では３つ）幅方向並びで組み合わせて形成されている。このようなブロック式であることにより、陳列の自由度が高まる。例えば図８に示す例のように、後方棚６２における各棚ブロック６９の取付け高さ位置を異ならせることができ、これにより陳列品ｍの高さサイズなどに応じた最適な陳列を行うことが可能となるなどとして、陳列の自由度が高まる。
【０００６】
一方、前方棚６３は、例えば見本品棚として後方棚６２に陳列の商品に対応する見本品の陳列に用いられ、棚枠６５の左右各端で奥行き方向の中間位置に設けられている支柱７１に、そこに形成の係止孔７２（図８）を介して、取外し可能に係止させられている。
【０００７】
これら後方棚６２と前方棚６３の間には透明な仕切り７３が設けられている。仕切り７３は、錠７４により施錠できる２枚の引違い戸７５で形成され、各棚段６４の後方棚６２を遮蔽してそこに陳列の陳列品を防護できる。つまり錠７４を開錠してから引違い戸７５を開いて防護解除状態としないかぎり、後方棚６２の陳列品に触れることができず、また後方棚６２から陳列品を取り出すことができない。このため後方棚６２については、陳列商品の防護が図られ、特に大量の陳列商品を一度に万引きするような大量盗難に対して効果的に防護できるようになっている。
【０００８】
以上のように陳列棚６１は、棚段６４が、後方棚６２と前方棚６３として、前後方向で並列する２つの陳列域、つまり後方陳列域と前方陳列域を有し、その２つの陳列域を商品の陳列に用いる商品陳列域と見本品の陳列に用いる見本品陳列域などとして使い分ける並列的な陳列を行うことができる。また陳列棚６１は、２つの陳列域をそれぞれ独立させることで、後方陳列域である後方棚６２を陳列の自由度が高いブロック式にできるようになっている。つまり陳列棚６１は、並列的な陳列を行え、しかも並列的な陳列のための２つの陳列域が独立型となっている。以下では、こうしたタイプの陳列棚ないし棚段を仮に独立並列型と呼ぶとする。
【０００９】
陳列棚としては、上記のような独立並列型の陳列棚の他に、例えば特許文献１や特許文献２に開示の陳列棚がある。これらの陳列棚は、棚とそれに載せた陳列ケース（特許文献２では商品陳列台）で各棚段を形成し、その陳列ケースに２つの陳列域（特許文献１の前方陳列領域と後方陳列領域や特許文献２の見本商品陳列部と商品ストック部）を設ける構成であり、そのために２つの陳列域が陳列ケースにおいて一体的になっている。つまり特許文献１や特許文献２に開示の陳列棚は、上述の陳列棚６１と同様に並列的な陳列を行える並列型であるが、２つの陳列域が一体型となっている。以下では、こうしたタイプの陳列棚ないし棚段を仮に一体並列型と呼ぶとする。
【００１０】
一体並列型の陳列棚では、スライド方式の防護構造により陳列商品の防護が図られている。すなわち、陳列ケースを前後方向にスライド可能にするとともに、陳列ケースにおける２つの陳列域を透明な遮蔽板（特許文献１では透明板、特許文献２では仕切り壁）で仕切る。そして陳列ケースを後方スライドで押し込んだ状態では、遮蔽板が直上の棚段に近接することで遮蔽板と直上の棚段により後方陳列域が遮蔽され、それにより後方陳列域の陳列品を取り出したりすることができない防護状態となり、陳列品の防護が図られる。その一方、陳列ケースを前方スライドで引き出すと、遮蔽板が直上の棚段から離れ、それにより防護解除状態となって取扱スペースが形成され、その取扱スペースを通して後方陳列域の陳列品を取り出したりする取扱いができるようになる。
【先行技術文献】
【特許文献】
【００１１】
【特許文献１】実用新案登録第３１４１３１３号公報
【特許文献２】実用新案登録第３１３３０７４号公報
【発明の概要】
【発明が解決しようとする課題】
【００１２】
独立並列型の陳列棚は、上述のように、後方陳列域である後方棚をブロック式にすることができ、それにより陳列の自由度を高めることができる。その一方で、従来の独立並列型の陳列棚は、後方陳列域の陳列品の防護が引違い戸による防護構造であることから、防護性に優れているものの、後方陳列域に対する陳列品の取扱いに関して使い勝手に難を残している。すなわち、引違い戸による防護構造では、陳列品の取出しなどのために引違い戸を開いても最大で１枚の引違い戸分しか取扱スペースが得られない。また引違い戸による防護構造では、前方陳列域の陳列品が障害になる状態にあることで取扱スペースがさらに狭められる。このため取扱スペースが一体並列型の陳列棚におけるスライド方式の防護構造におけるそれよりもかなり狭いものとなり、後方陳列域の陳列品を取り出すなどの際に店員や客が無理な姿勢を強いられるなど、陳列品の取扱いに関して使い勝手が悪い。
【００１３】
本発明は、以上のような従来の事情を背景になされたものであり、独立並列型の陳列棚について、高い防護性を確保しつつ、陳列品の取扱いに関する使い勝手の向上を図ることを課題としている。
【課題を解決するための手段】
【００１４】
上記課題を解決するために第１の発明は、それぞれ棚枠に支持された後方棚と前方棚とが、前後方向で並列するように設けられた棚段を複数段備えた陳列棚において、遮蔽状態と遮蔽解除状態とが切替え可能で、前記遮蔽状態で前記後方棚の陳列品の取出しを不能とするとともに前記遮蔽解除状態で前記後方棚の陳列品の取出しを可能とする遮蔽体を、前記棚段ごとに設け、前記前方棚は、前後方向にスライド可能であるとともに、前方スライドで引き出す引出し操作に連動して前記遮蔽体を前記遮蔽状態から前記遮蔽解除状態へ切替え可能に構成されていることを特徴としている。
【００１５】
第１の発明では、後方棚の陳列品について取出しを不能とする蔽状態と取出しを可能とする遮蔽解除状態を切替え可能とする遮蔽体を棚段ごとに設けるとともに、スライド式にして引き出せるようにした前方棚の引出し操作に連動させて遮蔽体の遮蔽状態から遮蔽解除状態への切替えを行える構造として後方棚の陳列品に対する防護構造を形成している。このような防護構造では、遮蔽体による遮蔽で後方棚の陳列品を防護することになるので、高い防護性を確保することができる。またこのような防護構造では、防護解除時、つまり遮蔽体による遮蔽解除時に前方棚が後方棚から離れるように引き出される。このため後方棚に対する取扱スペースを広く確保することができ、陳列品の取扱いに関する使い勝手にも優れる。
【００１６】
第２の発明は、上記第１の発明において、前記遮蔽体は、上下向きで立つ立状態により前記遮蔽状態となるとともに、前記遮蔽解除状態時に前記引出し操作に連動して前後向きに倒れる倒状態となる、遮蔽板であることを特徴としている。
【００１７】
第２の発明によれば、立状態で遮蔽となり遮蔽解除時に倒状態となる遮蔽板として遮蔽体を形成していることから、遮蔽と遮蔽解除の切替えにおける動作が遮蔽板の立状態と倒状態の切替えという単純な動作で済み、したがって遮蔽体に関する機構を簡易なもので済ませることができる。また第２の発明によれば、遮蔽解除時の取扱スペースをより広く確保することが可能となる。すなわち遮蔽解除時に遮蔽板が倒状態となることから、前方棚が後方棚から離れることによる得られるスペースに遮蔽板の倒状態により形成されるスペースが加わった状態で取扱スペースが形成されることなり、取扱スペースをより広く確保することが可能となる。
【００１８】
第３の発明は、上記第２の発明において、前記遮蔽板は、回動可能に前記前方棚に取り付けられており、前記棚枠に、前下がり傾斜の摺動ガイド部をそれぞれ有する一対のガイドプレートを取り付け、前記遮蔽板の先端部に、前記一対のガイドプレートそれぞれの前記摺動ガイド部によるガイドを受ける一対の摺動ピンを設け、前記遮蔽板は、前記摺動ピンを介した前記摺動ガイド部によるガイドを受けつつ、前記引出し操作による前記前方棚の前方スライドに連動した前方スライドを行うことで回動し、前記倒状態となることを特徴としている。
【００１９】
上述のように遮蔽体を遮蔽板として形成することには、遮蔽体に関する機構を簡易なもので済ませることができるという利点がある。第３の発明は、このような利点の具現化として特に好ましい構造の一つを実現する。すなわち第３の発明によれば、遮蔽板の立状態と倒状態の切替えを前方棚の引出し操作に連動させて行わせるための機構を形成するについて、主な機構要素を一対のガイドプレート、一対の摺動ピン、及び遮蔽板を前方棚に回動可能に取り付けるための部材（例えばヒンジ）で済ませることができ、遮蔽体に関する機構を簡易なもので済ませることができる。
【発明の効果】
【００２０】
以上のような本発明によれば、独立並列型の陳列棚について、高い防護性を確保しつつ、陳列品の取扱いに関する使い勝手の向上を図ることができる。
【図面の簡単な説明】
【００２１】
【図１】一実施形態による陳列棚の側面視における全体構成を示す図である。
【図２】図１の陳列棚の正面視における全体構成を示す図である。
【図３】棚段の側面視における構成を示す図である。
【図４】棚段の正面視における構成を示す図である。
【図５】見本品棚を引き出した状態にある棚段を側面視について示す図である。
【図６】見本品棚を引き出した状態にある棚段を正面視について示す図である。
【図７】従来の陳列棚の側面視における全体構成を示す図である。
【図８】図７の陳列棚の正面視における全体構成を示す図である。
【発明を実施するための形態】
【００２２】
本発明による陳列棚は、独立並列型であり、それぞれ棚枠に支持された後方棚と前方棚が前後方向で並列するように設けられた棚段を複数段備える構成を基本とする。そして棚段における後方棚と前方棚のそれぞれに陳列品を陳列することができる。このような本発明による陳列棚は、販売用の商品とその見本品を対応させるようにして陳列するのに適しており、そのような陳列を必要とする場合の多い商品、例えば化粧品の陳列に好適である。したがって以下に説明する実施形態では、後方棚が商品の陳列に用いられる商品棚であり、前方棚が見本品の陳列に用いられる見本品棚である場合とする。
【００２３】
図１と図２に、一実施形態による陳列棚１を示す。図１は、側面方向から見た全体外観を示し、図２は、正面方向から見た全体外観を示している。なお、図２は、図１と縮尺を異ならせ、中間部分を省略した図としてある。これら図１と図２に見られるように、陳列棚１は、棚枠２に複数段（図の例では５段）の棚段３を設けた構成である。
【００２４】
棚枠２は、ベースパネル４、支柱５、背面パネル６、及びトップカバー７を主な要素としている。ベースパネル４は、設置時に床に接して陳列棚１の全体を支える要素であり、適度な厚みを有する中空直方体状のパネル構造に形成され、接地脚８が取り付けられている。支柱５は、角筒状に形成されるとともに、その前面に係止孔９が一定の間隔で多数設けられており、ベースパネル４の左右の各後側角部に立設されている。背面パネル６は、左右の各側端を支柱５に固定させて設けられている。この背面パネル６には係止受けパネル１１が組み付けられている。係止受けパネル１１は、パネルの全幅にわたる長さのスリット状の係止部１２を均等間隔で多段に設けた構成であり、後述の商品棚１３を取り付けるのに用いられる。トップカバー７は、後端に設けられている係止部（図示せず）を介して支柱５の係止孔９に係止させることで支柱５に取り付けられている。
【００２５】
棚段３は、それぞれ独立に棚枠２に支持させて前後方向で並列する商品棚１３と見本品棚１４を設けた構成であり、さらに直下の棚段３を照明するために棚段３の幅に対応する長さに形成された照明器１５が後述の一対の棚ブラケット２１に固定支持させて設けられている。ここで、図２では煩雑になるのを避けるために商品棚１３の図示を省略してあるが、前方棚である商品棚１３は、棚段３の幅サイズよりも狭い幅サイズで形成された棚ブロック１７を複数、幅方向並びに組み合わせて形成されるブロック式であり、したがって高い陳列の自由度を有することは、図７や図８における前方棚６３について上で説明したのと同様である。
【００２６】
図３〜図６に、棚段３における商品棚１３と見本品棚１４の構成を拡大して示す。商品棚１３を形成する棚ブロック１７は、係止受けパネル１１に取外し可能に係止させることで取り付けられている。係止受けパネル１１は、上述のようにスリット状の係止部１２を均等間隔で多段に有している。したがって棚ブロック１７の取付けは、係止受けパネル１１における係止部１２の配置間隔の範囲で自由な高さ位置で行うことができる。
【００２７】
見本品棚１４は、左右の各支柱５に取り付けられる一対の棚ブラケット２１で支持させることで棚枠２に取り付けられている。より具体的にいうと、棚ブラケット２１は、後端に係止部２２が設けられ、その係止部２２を支柱５の係止孔９に係止させることで支柱５に取外し可能に取り付けられている。そして見本品棚１４は、この棚ブラケット２１に支持させることで棚枠２に取り付けられている。棚ブラケット２１による見本品棚１４の支持は、図３に示すように、スライドレール２３を介して行われている。スライドレール２３は、固定部材２４とこれにスライド可能に組み合わされた可動部材２５で構成されている。そして棚ブラケット２１に固定部材２４を組み付けるとともに、見本品棚１４を可動部材２５に組み付けることで、スライドレール２３を介した棚ブラケット２１による見本品棚１４の支持が実行されている。したがって見本品棚１４は、前後方向（図３中の矢印Ａ方向）にスライド可能なスライド式となっており、前方スライドで引き出し（図５に示す状態）、後方スライドで押し込む（図３に示す状態）ことができるようになっている。
【００２８】
また見本品棚１４は、商品棚１３の商品Ｍを防護するための防護構造３１が設けられている。防護構造３１は、商品棚１３を遮蔽することでそこに陳列の商品Ｍを防護する一方で、必要時に商品棚１３から商品Ｍを取り出したりすることができるようにするために遮蔽解除を行えるとともに、遮蔽と遮蔽解除の切替えを見本品棚１４のスライドに連動して行える。つまり防護構造３１は、遮蔽状態と遮蔽解除状態を切り替えることができ、遮蔽状態で商品Ｍの取出しを不能とし、遮蔽解除状態で商品Ｍの取出しを可能とするように機能し、さらに遮蔽状態と遮蔽解除状態の切替えを見本品棚１４のスライド（引出し操作又は押込み操作）に連動する。
【００２９】
このような機能性を有する防護構造３１は、遮蔽板３２、摺動ピン３３、及びガイドプレート３４を主な要素として構成されている。遮蔽板３２は、商品棚１３を遮蔽する、つまり商品棚１３の商品Ｍをその取出しに関して遮蔽する遮蔽体として機能する要素であり、アクリル板などのような透明な板材で形成されており、先端部の裏面に補強バー３５がねじ止めで固着されている。この遮蔽板３２は、基端部にねじ止めされた蝶番３７を介して見本品棚１４、より具体的には見本品棚１４の後端部に立設の縁板３６にヒンジ結合で取り付けられており、矢印Ｄの下回動や矢印Ｕの上回動をなす。
【００３０】
摺動ピン３３は、遮蔽板３２の先端部に左右一対にして設けられている。各摺動ピン３３は、補強バー３５を介して遮蔽板３２に取り付けられており、遮蔽板３２の先端部において遮蔽板３２の側端縁から適度な長さで突出する。
【００３１】
ガイドプレート３４は、左右一対にして設けられている。各ガイドプレート３４は、下端部を棚ブラケット２１に固定されることで棚ブラケット２１を介して棚枠２に取り付けられるとともに、連結バー３８により高さ方向の中間位置で互いに連結されている。また各ガイドプレート３４は、摺動ガイド部３９を有している。摺動ガイド部３９は、前下がり傾斜の長孔として形成され、摺動ピン３３を安定的にガイドすることができるように、摺動ピン３３の外径に対応する孔幅を有する。
【００３２】
以上のような防護構造３１では、見本品棚１４の前後方向のスライドに連動して遮蔽板３２が、摺動ピン３３を介した摺動ガイド部３９によるガイドを受けつつ、前後方向のスライドを行うことで回動し、その回動により遮蔽板３２が上下向きで立つ立状態（図３の状態）と前後向きで倒れる倒状態（図５の状態）を選択的にとることになる。
【００３３】
遮蔽板３２の立状態は、後方スライドで見本品棚１４が押し込まれた状態でとられる。すなわち、図５におけるように、前方スライドで見本品棚１４が引き出されて遮蔽板３２が倒状態にある状態から見本品棚１４を後方スライドで押し込むと、その見本品棚１４の後方スライドに連動して遮蔽板３２が後方スライドを行う。遮蔽板３２の後方スライドは、摺動ピン３３を介して摺動ガイド部３９によるガイドを受けつつ行われる。そして摺動ガイド部３９が前下がり傾斜の長孔（後ろ上がり傾斜の長孔）であることから、後方スライドに伴って遮蔽板３２が上回動を行い、この上回動により遮蔽板３２が立状態になる。立状態になった遮蔽板３２は、直上の棚段３に近接することで商品棚１３の前面を全体的に遮蔽し、これにより商品棚１３の商品Ｍを見ることはできるが触れたり取り出したりすることはできないように防護する。
【００３４】
一方、遮蔽板３２の倒状態は、前方スライドで見本品棚１４が引き出された状態でとられる。すなわち、上述のようにして遮蔽板３２が立状態にある状態から見本品棚１４を前方スライドで引き出すと、その見本品棚１４の前方スライドに連動して遮蔽板３２が前方スライドを行う。遮蔽板３２の前方スライドは、摺動ピン３３を介して摺動ガイド部３９によるガイドを受けつつ行われる。そして摺動ガイド部３９が前下がり傾斜の長孔であることから、前方スライドに伴って遮蔽板３２が下回動を行い、この下回動により遮蔽板３２が倒状態になる。遮蔽板３２が倒状態になる際には見本品棚１４も引き出された状態になり、これにより遮蔽解除となる。この遮蔽解除状態では、商品棚１３の前面に取扱スペースＳが形成される。取扱スペースＳは、見本品棚１４が商品棚１３から離れることで形成されるスペースに遮蔽板３２の倒状態により形成されるスペースが加わったものであるから、十分に広いものとなる。そしてこの十分に広い取扱スペースＳにより、見本品棚１４の見本品Ｍｓに邪魔されるようなことなく、商品棚１３の商品Ｍを取り出したりすることができるようになる。
【００３５】
以上のような防護構造３１については、上述のような防護機能をより高めるために、遮蔽解除のための操作、つまり陳列品取出し可能化操作である見本品棚１４の引出し操作を不能とする施錠を見本品棚１４に行えるようにするのが好ましい。こうしたことから本実施形態では、図４に示すように、見本品棚１４に棚錠４１を設けている。
【００３６】
棚錠４１は、照明器１５の裏面に固定して設けられた錠本体４２と見本品棚１４に固定して設けられた施錠受け４３で形成され、錠本体４２と施錠受け４３の間での係止により施錠となって見本品棚１４の前方スライドを不能とする。このような棚錠４１は各見本品棚１４に設けられることになるが、これについては、錠一括操作機構により各見本品棚１４の棚錠４１の開錠・施錠を一括的に行えるようにしている。
【００３７】
錠一括操作機構は、電動の錠本体４２に電力を供給する電気系を利用して構成されている。すなわち、錠本体４２に電力を供給する電気系は、図２に示すように、外部の商用電源から供給される交流電力から所定電圧の直流電力を発生さる電源装置４４、電源装置４４に接続する照明用給電レール４５、及び錠本体４２に電力を供給する錠用給電レール４６を含み、電源装置４４に照明用給電レール４５を介して電気的に接続する錠用給電レール４６が各棚錠４１の錠本体４２に共通的に電力を供給するようになっている。そしてこのような電気系の照明用給電レール４５と錠用給電レール４６の間に通電スイッチ４７を設け、この通電スイッチ４７を錠一括操作鍵４８（図１）で操作して照明用給電レール４５と錠用給電レール４６の間を電気的に遮断したり接続したりすることにより、棚錠４１の一括的な開錠・施錠を行えるようにする。
【００３８】
以上説明したように、本実施形態によれば、遮蔽板３２による遮蔽で陳列された商品Ｍを防護することになるので、高い防護性を確保することができる。また、商品棚１３に対する取扱スペースＳを広く確保することができ、商品Ｍの取扱いに関して使い勝手をよくすることができる。また、遮蔽と遮蔽解除の切替えにおける動作が、遮蔽板３２の立状態と倒状態の切替えという単純な動作で済み、したがって遮蔽に関する機構を簡易なもので済ませることができる。
【００３９】
以上、本発明を実施するための形態について説明したが、これは代表的な例に過ぎず、本発明はその趣旨を逸脱することのない範囲で様々な形態で実施することができる。
【符号の説明】
【００４０】
１      陳列棚
２      棚枠
３      棚段
１３    商品棚（後方棚）
１４    見本品棚（前方棚）
３２    遮蔽板（遮蔽体）
３３    摺動ピン
３４    ガイドプレート
３９    摺動ガイド部
【図１】
0005495231.tif 000002
【図２】
0005495231.tif 000003
【図３】
0005495231.tif 000004
【図４】
0005495231.tif 000005
【図５】
0005495231.tif 000006
【図６】
0005495231.tif 000007
【図７】
0005495231.tif 000008
【図８】
0005495231.tif 000009